(57)【特許請求の範囲】
【請求項１】
コンクリートブロックの設置方法であって、
基礎コンクリート上の所定位置に平面板状の第１平板を設置する工程と、
前記第１平板上に複数の微細粒状物を含む流動体よりなる滑り剤を塗布する工程と、
前記滑り剤の上に、平面板状の第２平板を設置する工程と、
前記第２平板の上にコンクリートブロックを載置し、ほぼ水平方向に移動させる工程と、
前記移動されたコンクリートブロックの下部と前記基礎コンクリートの上面との間にコンクリート又はモルタルを流し込む工程とを備え、
前記流動体は水性を有し、
前記第１平板及び前記第２平板の各々は鉄板よりなり、
前記微細粒状物は二硫化モリブデン及び黒鉛の少なくとも一方を含む、コンクリートブロックの設置方法。
【請求項２】
前記微細粒状物は、球状フェノール樹脂を更に含む、請求項１記載のコンクリートブロックの設置方法。
【発明の詳細な説明】
【０００１】
【発明の属する技術分野】
この発明はコンクリートブロックの設置方法及び設置器具に関し、特に、ボックスカルバート等のプレキャストコンクリートブロックの据付け及び水平移動に関わるコンクリートブロックの設置方法に関するものである。
【０００２】
【従来の技術】
図７は特開２０００−２７３９３８号公報に開示されているコンクリートブロックの設置方法の概略図であり、図８は図７のＶＩＩＩ−ＶＩＩＩラインの断面図であり、図９は図８の“Ｙ”部分の拡大図である。
【０００３】
これらの図を参照して、プレキャストコンクリートブロックの１つである中央が空洞のボックスカルバート６１ａ〜６１ｃが順次基礎コンクリート１９上に連結された状態に設置されている。ワイヤ１８にて係止されて吊り上げられたボックスカルバート６１ｄは、上方からボックスカルバート６１ｃの近くに吊り下ろされる。そして水平方向の矢印に示す方向に引寄せられて、ボックスカルバート６１ａ〜ボックスカルバート６１ｃのように連結状態に移動する。
【０００４】
この水平移動時における基礎コンクリート１９との摩擦抵抗を低減するために、ボックスカルバート６１の下部は特殊形状を有している。すなわち、図９に示されているように、ボックスカルバート６１の下面には下方に突出る突起部６２が形成され、突起部６２の表面には鋼板６３が取付けられている。一方、基礎コンクリート１９にはＩ型鋼よりなるガイドレール６５が埋め込まれ、その上方面に複数の鋼球６６が配置されている。
【０００５】
このようにボックスカルバート６１及び基礎コンクリート１９を形成した状態で、突起部６２がガイドレール６５上に位置するようにボックスカルバート６１を基礎コンクリート１９上に設置する。この状態でボックスカルバート６１を水平方向に移動させると、鋼球６６のベアリング効果によって、水平方向への移動に対する抵抗が軽減され、スムーズにボックスカルバート６１同志を連結させることができる。
【０００６】
通常ボックスカルバート６１は連結状態に引寄せられた後、これらの相互のシールを確保するために更に相互に引寄せる締め固め作業がなされ、これらは一体化することになる。その後ボックスカルバート６１の下部と基礎コンクリート１９の上面との間に流動性の生コンクリートを流し込むことによって、ボックスカルバート６１を基礎コンクリート１９に固定する。
【０００７】
【発明が解決しようとする課題】
上記のような従来のコンクリートブロックの設置方法であれば、上述のようにボックスカルバート６１の下部に突起部６２を設けるなどしてボックスカルバート６１を特殊形状に仕上げる必要がある。そのため通常のボックスカルバート６１に比べてコスト的に不利なものとなる。
【０００８】
又、鋼球６６を配置するためにガイドレール６５を基礎コンクリート１９に埋め込む必要があるためその作業に手間が掛り、結果としてコストも増大する。更に、鋼球６６はガイドレール６５の上面に配置されているため、ガイドレール６５の水平度が確保されていなければ、全体的に均一に配置されず、一方向に偏ってしまう虞れもある。そのため、ボックスカルバート６１の設置面が水平面ならともかく、傾斜したような面の場合、この工法を採用することは困難である。
【０００９】
この発明は上記のような課題を解決するためになされたもので、一般形状のコンクリートブロックにも適用でき、かつその設置面の水平度に影響されないコンクリートブロックの設置方法を提供することを目的とする。
【００１０】
【課題を解決するための手段】
上記の目的を達成するために、請求項１記載の発明は、コンクリートブロックの設置方法であって、基礎コンクリート上の所定位置に平面板状の第１平板を設置する工程と、第１平板上に複数の微細粒状物を含む流動体よりなる滑り剤を塗布する工程と、滑り剤の上に、平面板状の第２平板を設置する工程と、第２平板の上にコンクリートブロックを載置し、ほぼ水平方向に移動させる工程と、移動されたコンクリートブロックの下部と基礎コンクリートの上面との間にコンクリート又はモルタルを流し込む工程とを備え、流動体は水性を有し、第１平板及び第２平板の各々は鉄板よりなり、微細粒状物は二硫化モリブデン及び黒鉛の少なくとも一方を含んだものである。
【００１１】
このように構成すると、コンクリートブロックは微細粒状物を介した状態で基礎コンクリート上に載置される。又、滑り剤の塗布が容易となる。更に、コンクリートブロックの移動に寄与した第１平板、第２平板及び滑り剤は流し込まれたコンクリート又はモルタルによって被覆される。
【００１６】
請求項２記載の発明は、請求項１記載の発明に構成において、微細粒状物は球状フェノール樹脂を更に含むものである。
【００１７】
このように構成すると、使用時に球状フェノール樹脂が転動する。
【００２０】
【発明の効果】
以上説明したように、請求項１記載の発明は、コンクリートブロックは微細粒状物を介した状態で基礎コンクリート上に載置されるので、コンクリートブロックは特殊形状を要求されることなくその水平方向への移動に対する抵抗が軽減する。又、微細粒状物は流動体に含まれて塗布されているため、塗布量を調整することで所望の滑り剤の滑り効果を得ることができる。又、微細粒状物は流動体に含まれた状態となるため、第１平板の水平度に関わらず不用意に移動する虞れがなく安定した設置工事が可能となる。又、滑り剤の塗布が容易となるため、使い勝手が向上する。更に、コンクリートブロックの移動に寄与した第１平板等が流し込まれたコンクリート又はモルタルによって被覆されるので、これらを取り除く必要はなく、安定した状態での設置固定が完了する。
【００２３】
請求項２記載の発明は、請求項１記載の発明の効果に加えて、使用時に球状フェノール樹脂が転動するため、より安定した滑り効果が発揮される。
【００２５】
【発明の実施の形態】
図１はこの発明の第１の実施の形態によるコンクリートブロックの設置方法を示す概略図であり、図２は図１のＩＩ−ＩＩラインの断面図であり、図３は図２の“Ｘ”部分の拡大図であり、更に、図４は図３のＩＶ−ＩＶラインの拡大断面図である。
【００２６】
これらの図を参照して、基礎コンクリート１９の上に一対のガイドレール２１ａ，ガイドレール２１ｂが設置されており、それらの間の上方にプレキャストコンクリートブロックの１つであるボックスカルバート１６ａ〜ボックスカルバート１６ｃが順次据付けられている。尚、ガイドレール２１ａ，ガイドレール２１ｂは、基礎コンクリート１９内部に埋め込まれ、その水平度が調整されたアンカー２５の上に固定されている。したがって、ガイドレール２１ａ，ガイドレール２１ｂの水平度が確保された状態でボックスカルバート１６が据付られる状態となっている。
【００２７】
ガイドレール２１ｂの水平部材２７の上面には滑り剤２４が塗布されている。尚、滑り剤２４は、複数の微細粒状物を含む流動体より構成され、構成物の具体的な配合比率は以下の通りである。
【００２８】
0003933471.tif 000002
尚、この実施の形態ではワイヤ１８によって係止されたボックスカルバート１６を一定位置に吊り下ろし、これを水平方向に所定の位置まで移動させる。そのため、滑り剤２４は水平部材２７の上面全面に塗布されている。微細粒状物は流動体によって保持されているため、塗布後水平部材２７の上から他の位置に移動する虞れはない。
【００２９】
平板２２はボックスカルバート１６の下面に対応した所定数だけ準備され、ボックスカルバート１６の吊り下ろされる位置であって、滑り剤２４の上方に配置される。この状態でボックスカルバート１６は平板２２上に吊り下ろされる。このようにしてボックスカルバート１６は滑り剤２４を介した状態で水平部材２７上に設置されることになる。
【００３０】
次に吊り下ろされたボックスカルバート１６を図示しないウィンチやワイヤ等を用いて水平方向に移動させる。この時図４に示すようにボックスカルバート１６は、平板２２とともに滑り剤２４の微細粒状物を介して水平部材２７に対して移動するため、移動に対して生じる抵抗が軽減する。これによってスムーズなボックスカルバート１６の移動作業が可能となる。尚、図４の矢印で示す平板２２の進行方向に対する下方のコーナー部２９は、滑り剤２４を移動時に削りとらないように丸みが形成されている。
【００３１】
又、この移動の際にガイドレール２１の垂直部材２８はガイドの役目を果たし、ボックスカルバート１６の安定した水平移動を可能とする。このようにしてボックスカルバート１６ａ〜ボックスカルバート１６ｄは順次引寄せられて連結状態となり、更にこれらの連結部のシールを確保するために締め固めが行われる。この締め固め作業においても滑り剤２４の作用によってボックスカルバート１６はスムーズに移動する。
【００３２】
ボックスカルバート１６ａ〜ボックスカルバート１６ｄの締め固めが完了すると、その状態でボックスカルバート１６ａ〜ボックスカルバート１６ｄの下部と基礎コンクリート１９の上面との間に流動性を有する生コンクリート又はモルタルが流し込まれ、ボックスカルバート１６ａ〜ボックスカルバート１６ｄが基礎コンクリート１９に固定されてその据付け作業が終了する。
【００３３】
図５はこの発明の第２の実施の形態によるコンクリートブロックの設置方法であって、基礎コンクリート上に形成された土台の上にコンクリートブロックを設置する場合の設置方法について説明した概略工程図である。
【００３４】
図を参照して、図５の（１）に示すように、基礎コンクリート１９に形成され、その上面の水平度が調整された土台３１の上に、鉄板等の平面板状の第１平板３５が配置される。尚、土台３１は必ずしも形成する必要はなく、第１平板３５を直接基礎コンクリート１９上に配置しても良い。
【００３５】
次に、図５の（２）に示すように、第１平板３５の上面に滑り剤２４を塗布することによって形成する。滑り剤２４は塗布によって第１平板３５の上に形成されるため、その塗布量を調整することによって移動すべきコンクリートブロックの重量に応じた滑り効果を発揮させることが容易となる。又、滑り剤２４には前もって微細粒状物が所定の配合比率で流動体に均一に分布されているため、滑り剤の場所によってその滑り効果が異なるような虞れはない。又、微細粒状物は流動体に含有されているため、現場における風等によって飛散してしまう虞れもなく、安定した滑り効果を発揮する。
【００３６】
次に、図５の（３）に示すように、第１平板３５とほぼ同一形状の平面板状の鉄板よりなる第２平板３７が、滑り剤２４に被さるように設置される。これによって第１平板３５及び第２平板３７は、滑り剤２４の微細粒状物を介してお互いの面上を容易に移動できる状態となる。このように滑り剤２４を第１平板３５及び第２平板３７で挟んだ状態とし、この上に図５の（４）に示すように設置すべきプレキャストコンクリートブロック３９を載置する。
【００３７】
このため、プレキャストコンクリートブロック３９の水平方向に対する移動によって生じる抵抗は、滑り剤２４の微細粒状物の作用によって軽減されるので、スムーズな水平方向への移動調整が可能となる。このようにしてプレキャストコンクリートブロック３９の設置調整作業が完了する。
【００３８】
尚、プレキャストコンクリートブロック３９の移動が終了した状態で所定時間が経過すると、滑り剤２４の水分が蒸発することによって滑り効果が低減する。これによって、その後の工程における生コンクリートの流し込みの際に、不用意にプレキャストコンクリートブロック３９が移動するのが防止されることになる。
【００３９】
図６は図５に示したコンクリートブロックの設置方法において、コンクリートブロックの下部に高さ調整金具を用いた場合であって、基礎コンクリート１９が傾斜している場合の取付状態の１例を示した図である。
【００４０】
図を参照して、この例においては、プレキャストコンクリートブロック３９を直接第２平板３７上に載置せずに、プレキャストコンクリートブロック３９の下面に取付けられた高さ調整金具４１を介して第２平板３７上に設置している。尚、高さ調整金具４１はその中央のナットを回転させることによってその両側に螺合するボルトの突出し長さを変化させる機能を有するものである。又、高さ調整金具４１は上下を逆転させて使用しても良く、あるいはナットに螺合する上方のボルトを下方のそれと同一の形状としたものを用いても良い。
【００４１】
そこでこの例においては、プレキャストコンクリートブロック３９を基礎コンクリート１９から所定の高さに調整した後、プレキャストコンクリートブロック３９の下面と第２平板３７との間隔に合うように高さ調整金具４１を調整する。この状態で高さ調整金具４１の下方のボルトの頭部が第２平板３７上に当接される。
【００４２】
プレキャストコンクリートブロック３９の基礎コンクリート１９に対する高さ調整が終了すると、次に図６の（２）に示すように矢印の方向に所定量移動させる。この場合、プレキャストコンクリートブロック３９の下面に取付けられた高さ調整金具４１は、第２平板３７と一体となって第１平板３５に対して矢印の方向に容易に移動する。この場合土台３１の上面が傾斜しているが、滑り剤２４の微細粒状物は流動体によって均一に保持されているため、この傾斜によって第１平板３５に対して移動する虞れはない。したがって微細粒状物は当初に塗布された位置に保持されるため、第２平板３７の第１平板３５に対する安定した移動を保証する。
【００４３】
このようにしてプレキャストコンクリートブロック３９の高さ方向及び水平方向の調整及び移動が完了すると、プレキャストコンクリートブロック３９の下部と基礎コンクリート１９の上面との間に生コンクリート又はモルタルが流し込まれ、プレキャストコンクリートブロック３９はその状態で基礎コンクリート１９に固定され、据付け作業が完了する。尚、図６の例においても、土台３１は必ずしも形成する必要はなく、第１平板３５を直接基礎コンクリート１９上に配置しても良い。
【００４４】
尚、この実施の形態では、高さ調整金具４１のボルト頭の下面を第２平板３７に当接させて使用しているが、第２平板３７を介さずにボルト頭を直接滑り剤２４上に配置するようにしても良い。この場合高さ調整金具４１のボルト頭と第１平板３５の上面との間に滑り剤２４の微細粒状物が介在することになり、安定した滑り効果が発揮される。
【００４５】
ところで、上記の各実施の形態における滑り剤は水性のものとしているが、以下の配合比率の構成物による油性の滑り剤を使用することも可能である。油性とすると、雨天時の使用において流動体が流れ出る虞れがないため、使用勝手が良く安定した滑り効果が発揮される。
【００４６】
0003933471.tif 000003
更に、上記の水性の滑り剤及び油性の滑り剤の各々に、多数の球状フェノール樹脂（粒径約１００μｍ）を前もって混合させたり、現場で添加することによって、より滑り効果を高めることが可能となる。
【００４７】
尚、上記の各実施の形態では、微細粒状物として二硫化モリブデン及び黒鉛を使用しているが、これらのいずれか一方でも良く、又これら以外の、例えばセラミックスの粉末やサンドブラスト用の鋼球等の微細硬球状のものを代わりに用いることも可能である。
【００４８】
又、上記の実施の形態では、微細粒状物を保持するための流動体として特定の構成物を用いているが、微細粒状物を保持できるものであれば例えば水飴等の粘着性を有する他の流動体であっても良い。
【００４９】
更に、上記の実施の形態では、プレキャストコンクリートブロックとしてボックスカルバートに適用しているが、これ以外にアーチカルバートはもとより貯水槽、ガレージ、Ｌ型擁壁、水路、側溝、擁壁ブロック等にも同様に適用できることはいうまでもない。
【００５０】
更に、上記の実施の形態では、平板は鉄板を用いているが、これに代えて、他の金属板、強化プラスチック板、強化セメントコンクリート材、ゴム板等を用いても良い。
【００５１】
更に、上記の実施の形態では、滑り剤を２枚の平板で挟んでいるが、上方の平板に相当する板をコンクリートブロックの下面に埋め込むようにすれば、上記の実施の形態と同様の効果を奏する。この場合、コンクリートブロックの下面の外側の角を囲うようにＬ型鋼を埋め込めば、ガイドレールの垂直部材からのコンクリートブロックの保護効果と共により安定した移動が可能となる。
【００５２】
更に、上記の第１の実施の形態では、ガイドレールとして断面Ｌ型の鋼材を用いているが、これに代えて、移動方向に延びるように形成した単なる平板を使用しても良い。
【００５３】
尚、上記の第２の上記の実施の形態では、その変形例として高さ調整金具を用いているが、この金具を第１の実施の形態で示した断面Ｌ型のガイドレールの水平部材の下面に取付けて高さ調整すると共に、水平部材の上面に滑り剤を塗布して水平方向の調整をするようにすれば、より使い勝手が向上する。
【図面の簡単な説明】
【図１】この発明の第１の実施の形態によるコンクリートブロックの設置方法の概略を示した図である。
【図２】図１のＩＩ−ＩＩラインの断面図である。
【図３】図２の“Ｘ”部分の拡大図である。
【図４】図３のＩＶ−ＩＶラインの拡大断面図である。
【図５】この発明の第２の実施の形態によるコンクリートブロックの設置方法の概略工程を示した図である。
【図６】図５に示した工程による設置方法の変形例を示した図である。
【図７】従来のコンクリートブロックの設置方法の概略を示した図である。
【図８】図７のＶＩＩＩ−ＶＩＩＩラインの断面図である。
【図９】図８の“Ｙ”部分の拡大図である。
【符号の説明】
１６…ボックスカルバート
１９…基礎コンクリート
２２…平板
２４…滑り剤
２７…水平部材
３５…第１平板
３７…第２平板
３９…プレキャストコンクリートブロック
尚、各図中同一符号は同一又は相当部分を示す。
【図１】
0003933471.tif 000004
【図２】
0003933471.tif 000005
【図３】
0003933471.tif 000006
【図４】
0003933471.tif 000007
【図５】
0003933471.tif 000008
【図６】
0003933471.tif 000009
【図７】
0003933471.tif 000010
【図８】
0003933471.tif 000011
【図９】
0003933471.tif 000012